(57)【特許請求の範囲】
【請求項１】
小型エンジンの前方向に設けた回転出力軸を、外周にフロントハンドルを有する回転軸ガイド部材で包囲すると共に、前記回転出力軸および回転軸ガイド部材の先端部に回転変換部材を介して切断用工具を取り付けた枝打機であって、
前記小型エンジンの後端部に柱部材を介して前記回転出力軸と直交する方向にプレートを固定し、リアハンドルの基端部を防振部材を介して支持したリアハンドル支持部材を、前記小型エンジンの後端部に取り付けた前記プレートに固定すると共に、
前記回転出力軸は、フレキシブルなコイルスプリング状の部材によって形成され、
前記回転軸ガイド部材の基端部の外周は、前記小型エンジンに固定されたキャップで覆われた防振部材が設けられていることを特徴とする枝打機。
【発明の詳細な説明】
【０００１】
【発明の属する技術分野】
本発明は、低木の枝打ちや細い幹の間伐などを目的として使用する枝打機に関するものであり、具体的には枝打機のエンジンの後端に取り付けたリアハンドルの構造を改良したものである。
【０００２】
【従来の技術】
従来、特開平１１−１５１６８４号公報に開示されたような高所用作業機があった。これを図面を参照して説明すると、図７は高所用作業機に補助部材１００を取り付ける前の斜視図であり、前記補助部材１００は、たとえば金属製の丸パイプ部材を屈曲または湾曲するなどして、軸状部１０１と枠状部１０２とを具備して形成されたものであり、その正面視形状は上部が一部切り欠けた略Ｃ字状とされている。この補助部材１００の一対の上端部１０３，１０３は、扁平な板状に形成されており、複数のボルト挿通孔１０４を有している。エンジン１０５に形成したフランジ１０６の中心部から伝動軸１０７が出ており、前記エンジンのフランジ１０６に前記伝動軸１０７を包囲した連結パイプ材１０８のフランジ１０９が連結され、このフランジ１０９の上面に、前記補助部材１００の扁平な板状の上端部１０３，１０３が当接され、各ボルト挿通孔１０４に挿通されたボルト１１０を前記フランジ１０９に挿通し、さらに、前記エンジンのフランジ１０６に締付けることにより、前記補助部材１００がエンジン１０５に取り付けられる。
【０００３】
図８はこの高所用作業機の使用状態を示す図であり、まず、作業機用支持具１１１を作業者の身体に装着する。前記作業機用支持具１１１の支持具本体部１１２は、腰ベルト１１３によって作業者の腹部近辺に適切に固定することができる。また、一対の肩ベルト１１４，１１４を作業者の両肩に掛けることにより、前記支持具本体部１１２が下方へ不当に位置ずれすることを防止することができる。前記作業機用支持具１１１を作業者が装着すると、その支持具本体部１１２に形成した凹部１１５は、作業者の股間部のやや下方に配置されることとなる。
【０００４】
次いで、作業者が高所用作業機を用いて所望の高所の枝打ち作業を行うときには、前記エンジンに取り付けた補助部材１００の軸状部１０１の先端を前記支持具本体部１１２に形成した凹部１１５に嵌入する。これにより、前記高所用作業機の重量を前記作業機用支持具１１１によって適切に受けることができる。したがって、前記高所用作業機を支持する作業者の両腕には強い腕力が要求されず、高所用作業機を長時間にわたって楽に起立状態に保持することができる。なお、図８に示す、符号１１６は、長尺状の連結パイプ材１０８に取り付けたエンジンの駆動を調整するスロットルレバーであり、前記連結パイプ材１０８に包囲された伝動軸１０７の先端には切断用工具（図示しない）が取り付けられている。
【０００５】
【発明が解決しようとする課題】
しかし、前記高所用作業機においては、連結パイプ材１０８が長尺であるため、低木の枝打ち作業を行うときに、被切断材の場所から離れて後方に移動して連結パイプ材１０８の一部を片手で持ち、もう片方の手で連結パイプ材１０８上のスロットルレバー１１６を持って作業を行わなければならなかった。
このような場合、前記補助部材１００の軸状部１０１がエンジンの後方にあり、これが狭い場所では周囲の障害物に接触して使用できないという問題があった。
また、通常の高枝切断より更に若干高い枝を切断する場合には、エンジンに取り付けた補助部材１００の軸状部１０１を片方の手で持ち、もう片方の手で連結パイプ材１０８上のスロットルレバー１１６を持って作業を行うような場合には、前記補助部材１００がエンジンに直接に取り付けられているので、エンジンの振動が両手に強く伝動されてくる問題があった。
本発明は、低木の枝打作用を行い易いようにすると共に若干高い枝の枝打ちを行いたい場合でもリアハンドルを持つことによって枝打ちを可能にし、かつまたエンジンの振動が手に強く伝動されないようにすることを目的とした枝打機を提供するものである。
【０００６】
【課題を解決するための手段】
前記目的を達成するために、請求項１に係る発明は、小型エンジンの前方向に設けた回転出力軸を、外周にフロントハンドルを有する回転軸ガイド部材で包囲すると共に、前記回転出力軸および回転軸ガイド部材の先端部に回転変換部材を介して切断用工具を取り付けた枝打機であって、前記小型エンジンの後端部に柱部材を介して前記回転出力軸と直交する方向にプレートを固定し、リアハンドルの基端部を防振部材を介して支持したリアハンドル支持部材を、前記小型エンジンの後端部に取り付けた前記プレートに固定すると共に、前記回転出力軸は、フレキシブルなコイルスプリング状の部材によって形成され、前記回転軸ガイド部材の基端部の外周は、前記小型エンジンに固定されたキャップで覆われた防振部材が設けられていることを特徴とする枝打機である。
【０００７】
【発明の実施の形態】
以下、本発明に係る枝打機の実施の形態を、図面を参照して詳細に説明する。図１はこの枝打機の正面図、図２は同平面図、図３は枝打機のエンジンにリヤハンドルを取り付けた状態の正面図、図４は同左側面図、図５はエンジンに取り付けたリヤハンドル部およびエンジンの回転出力軸部の断面図、図６はエンジンに取り付けた回転出力軸部の拡大断面図である。
【０００８】
請求項１に係る発明は、図５および図６で詳細に示すように、小型エンジン１の前方向に設けた回転出力軸２を、外周にフロントハンドル３を有する回転軸ガイド部材４で包囲すると共に、前記回転出力軸２および回転軸ガイド部材４の先端部に回転変換部材を介して切断用工具６を取り付けた枝打機であって、エンジン１の後端部に柱部材７を介して前記回転出力軸２と直交する方向にプレート８を固定し、リアハンドル９の基端部９ａを防振部材１０，１０を介して支持したリアハンドル支持部材１１を、前記エンジン１の後端部に取り付けたプレート８に固定した枝打機である。
【０００９】
また、前記小型エンジン１の回転出力軸２をフレキシブルな回転出力軸とした枝打機としたものである。このフレキシブルな回転出力軸の実施例としては、所望の強度を有するコイルスプリング状のものなどである。
【００１０】
なお、前記リアハンドル９は、前記基端部９ａと円筒軸部９ｂとで形成されており、この円筒軸部９ｂの外周には例えばゴム製などのグリップ９ｃが嵌合され、さらに、前記円筒軸部９ｂの先端にグリップストッパー用のキャップ９ｄが嵌合されている。また、前記リアハンドル支持部材１１は、エンジン１の後端部に取り付けたプレート８にボルト１２で固定されている。また、前記プレート８が取り付けられた位置に配設されているエンジンの排気口に接続されたマフラー１３の先端部は、排気が前記リアハンドル９の方向に来ないように曲げられていると共に、このマフラー１３の先端部は、排気が前記リアハンドル９の方向に来ないように開口が穿設されたマフラーカバー１４で覆われている。
【００１１】
前記小型エンジン１のフレキシブルな回転出力軸２の取り付けは図６に詳細に示している。すなわち、小型エンジン１の回転軸（図示しない）の回転がクラッチ１５を介して伝動されるクラッチドラム１６の回転出力軸取付部１６ａに、前記フレキシブルな回転出力軸２の基端部２ａが取り付けられている。前記クラッチ１５は周知のように、エンジンの回転軸の回転数が所定以上になると、エンジンの回転軸と共に回転するクラッチシュー１５ａ，１５ａが、遠心力でスプリング１５ｂに抗して外方に移動し、前記クラッチドラム１６に当接してクラッチが入る。エンジンの回転数が所定以下になると、前記クラッチシュー１５ａ，１５ａがスプリング１５ｂで互いに内方に引かれて前記クラッチドラム１６から離れてクラッチが切れる。前記クラッチドラム１６の回転出力軸取付部１６ａはベアリング１７で保持されている。このベアリング１７はベアリングホルダー１８で支持されている。前記回転軸ガイド部材４の基端部４ａの外周にゴム製などの防振部材１９が取り付けられ、この防振部材１９を覆ったキャップ２０がエンジンに固定されている。前記回転軸ガイド部材４の基端部４ａの内側にはカラー２１が取り付けられている。
【００１２】
前記のようにエンジン１に取り付けられた回転出力軸２の先端には、図１および図２に示すように、回転軸ガイド部材４の先端部に取り付けたボックス５内に設けた回転変換部材（図示しないが傘歯車機構など）を介して切断用工具６が取り付けられている。この切断用工具６としては、この実施例においてはチエンソーを図示しているが、丸鋸であってもよい。なお、図１および図２に示す符号２２は、前記回転軸ガイド部材４の基端部寄りに取り付けたエンジンの駆動を調整するスロットルレバーである。
【００１３】
前記のように構成された枝打機で低木の枝打ち作業を行うときには、エンジンの前方に設けた回転軸ガイド部材４に有するフロントハンドル３を片方の手で持ち、もう片方の手でスロットルレバー２２を握って枝打ち作業を行い、また、若干高い位置の枝打ち作業を行う際には、片方の手でスロットルレバー２２を握り、もう片方の手でエンジンの後方に設けたリアハンドル９を持って作業を行う。
【００１４】
【発明の効果】
以上に説明したように、請求項１に係る発明は、小型エンジンの前方向に設けた回転出力軸を、外周にフロントハンドルを有する回転軸ガイド部材で包囲すると共に、前記回転出力軸および回転軸ガイド部材の先端部に回転変換部材を介して切断用工具を取り付けた枝打機であって、エンジンの後端部に柱部材を介して前記回転出力軸と直交する方向にプレートを固定し、リアハンドルの基端部を防振部材を介して支持したリアハンドル支持部材を、前記エンジンの後端部に取り付けたプレートに固定した枝打機としたので、低木の枝打ち作業を行うときには、エンジンの前方に設けた回転軸ガイド部材に有するフロントハンドルを片方の手で持ち、もう片方の手でスロットルレバーを握って枝打ち作業を行い、また、若干高い位置の枝打ち作業を行う際には、片方の手でスロットルレバーを握り、もう片方の手でエンジンの後方に設けたリアハンドルを持って枝打ち作業を行うことができるので、作業性が大幅に改善できる。
また、前記のように、片方の手でスロットルレバーを握り、もう片方の手でエンジンの後方に設けたリアハンドルを持って枝打ち作業を行う際には、エンジンの重量がバランス良く両手にかかり、作業性が良くなる。
また、前記リアハンドルの基端部を防振部材を介して支持したリアハンドル支持部材を、前記エンジンの後端部に取り付けたプレートに固定したので、エンジンの振動がリアハンドルに伝動し難くなる。
また、この枝打機のように、回転出力軸が短い場合は、切断用工具の切断振動が、この短い回転出力軸を通してフロントハンドルやエンジンに強く伝動してくる。また、エンジンのリヤハンドルを持って作業する場合は、回転出力軸のエンジンとの接続部に撓みが生じ、回転時に異常な負荷が回転出力軸にかかり、故障の原因になる。そこで、フレキシブルな回転出力軸とすることにより、前記切断振動や回転時の異常な負荷が、フレキシブルな回転出力軸で吸収されて極めて安定した回転出力を得ることができる。
【図面の簡単な説明】
【図１】本発明の枝打機の正面図である。
【図２】本発明の枝打機の平面図である。
【図３】枝打機のエンジンにリヤハンドルを取り付けた状態の正面図である。
【図４】枝打機のエンジンにリヤハンドルを取り付けた状態の左側面図である。
【図５】枝打機のエンジンに取り付けた、リヤハンドル部および回転出力軸部の断面図である。
【図６】枝打機のエンジンに取り付けた回転出力軸部の拡大断面図である。
【図７】従来の高所用作業機に補助部材を取り付ける前の斜視図である。
【図８】従来の高所用作業機の使用状態を示す図である。
【符号の説明】
１      小型エンジン
２      回転出力軸
２ａ    基端部
３      フロントハンドル
４      回転軸ガイド部材
４ａ    基端部
５      ボックス
６      切断用工具
７      柱部材
８      プレート
９      リアハンドル
９ａ    基端部
９ｂ    円筒軸部
９ｃ    グリップ
９ｄ    キャップ
１０    防振部材
１１    リアハンドル支持部材
１２    ボルト
１３    マフラー
１４    マフラーカバー
１５    クラッチ
１５ａ  クラッチシュー
１５ｂ  スプリング
１６    クラッチドラム
１６ａ  回転出力軸取付部
１７    ベアリング
１８    ベアリングホルダー
１９    防振部材
２０    キャップ
２１    カラー
２２    スロットルレバー
【図１】
0004025534.tif 000002
【図２】
0004025534.tif 000003
【図３】
0004025534.tif 000004
【図４】
0004025534.tif 000005
【図５】
0004025534.tif 000006
【図６】
0004025534.tif 000007
【図７】
0004025534.tif 000008
【図８】
0004025534.tif 000009